(57)【要約】【課題】多数の原稿が送給ベルトと分離ローラとのニップ点に入り込んで、分離ローラが連れ回りして分離不能になるという問題を解決する。【解決手段】原稿束（Ｐ）を載置した原稿台（３）の上方に位置し、原稿束（Ｐ）の最上面の原稿を取出す給紙手段（７）と、取出された原稿を一枚ずつ分離して送給する分離送給手段（９、１０）とを有する自動原稿搬送装置において、前記給紙手段（７）と前記分離送給手段（９、１０）の間に、前記給紙手段（７）により取出された原稿下面に接触し、底部の原稿の移動を制約する阻止部材（３１）を設ける。【選択図】図１
2006188362.tif 000002
【特許請求の範囲】
【請求項１】
原稿束を載置した原稿台の上方に位置し、原稿束の最上面の原稿を取出す給紙手段と、取出された原稿を一枚ずつ分離して送給する分離送給手段と、を有する自動原稿搬送装置において、前記給紙手段と前記分離送給手段の間に、前記給紙手段により取出された原稿下面に接触し、底部の原稿の移動を制約する阻止部材を設けたことを特徴とする自動原稿搬送装置。
【請求項２】
前記阻止部材の上方に所定の間隙をもって案内部材を設けた請求項１に記載の自動原稿搬送装置。
【請求項３】
前記阻止部材が、原稿搬送方向に立ち上がる傾斜面を有し、原稿幅方向に延在する板状阻止部材であり、前記案内部材が、前記板状阻止部材の原稿幅方向の両側端外で、原稿搬送面に垂下する二つのリブ状案内部材である請求項２に記載の自動原稿搬送装置。
【請求項４】
前記分離送給手段が、支持ローラで保持された送給ベルトとこれに接する分離ローラからなり、前記送給ベルト支持部に前記案内部材を取り付けた請求項２または３に記載の自動原稿搬送装置。
【請求項５】
前記案内部材が、前記送給ベルトの支持ローラ両端部に形成したフランジである請求項４に記載の自動原稿搬送装置。
【請求項６】
前記阻止部材の表面が、ゴムなどの摩擦係数の大きい材料で構成されている請求項１、２、３、４または５に記載の自動原稿搬送装置。
【請求項７】
前記板状阻止部材の先端幅が、原稿搬送方向に向かって狭くなる形状となした請求項３、４、５または６に記載の自動原稿搬送装置。
【請求項８】
原稿束を載置した原稿台の上方に位置し、原稿束の最上面の原稿を取出す給紙手段と、支持ローラで保持された送給ベルトとこれに接する分離ローラからなり、取出された原稿を一枚ずつ分離して送給する分離送給手段と、を有する自動原稿搬送装置において、前記送給ベルトの原稿搬送上流側の支持ローラの両側端部に円板状の搬送ガイドを設けたことを特徴とする自動原稿搬送装置。
【発明の詳細な説明】
【技術分野】
【０００１】
本発明は、複写機、ファクシミリ装置、スキャナー装置などに具備される自動原稿搬送装置に係り、詳しくは、原稿束を載置する原稿台から原稿を取出し、一枚ずつ分離して送給する自動原稿搬送装置の改良に関する。
【背景技術】
【０００２】
自動原稿搬送装置は、一般に、給紙部とスキャン部と排紙部とから構成され、給紙部から一枚ずつ送給される原稿をスキャン部で読み取り、読み取った原稿は排紙部から排出され、次いで次の原稿が送給される。両面原稿の場合は、排紙部で反転されて再びスキャン部でスキャンされ裏面も読み取られた後、排紙部から排紙される。
【０００３】
このような自動原稿搬送装置の一例を図３に示す。図３は、自動原稿搬送装置１を、複写機に搭載したものの給紙部とスキャン部を模式的に示す部分側断面図である。この自動原稿搬送装置は、原稿束を載置する原稿台が、固定の原稿テーブル２と支点３ａの廻りに回動（図のＡ−Ｂ方向）する可動原稿テーブル３からなり、この原稿台に原稿束（図示せず）を上向けに載置すると、セットフィーラ４が原稿束により移動し、セットセンサ５が感応して原稿セットが検知される。原稿セットが検知されると可動原稿テーブル３が上昇して原稿束の上面をピックアップローラ７に押付ける。ピックアップローラ７は図のＣ−Ｄ方向に回動可能に支持され、ピックアップローラ７の移動は、上昇検知センサ８で検知される。
【０００４】
原稿束が載置され、ピックアップローラ７が静止すると、ピックアップローラ７が駆動され、原稿束の最上面から順次原稿を取出す。ピックアップローラ７が本発明にいう給紙手段の一例である。取出された原稿は、送給ベルト９と分離ローラ１０（リバースローラなどと称される）からなる分離送給手段に至る。この分離送給手段においては、送給ベルト９が二つの支持ローラ９ａ、９ｂに掛け渡され、駆動支持ローラ９ａにより回転駆動される。支持ローラ９ｂは従動ローラである。送給ベルト９は、接圧付与手段（図示せず）により分離ローラ１０に圧接され、原稿は送給ベルト９と分離ローラ１０の間にニップされて送出され、プルアウトローラ１１に送出される。
【０００５】
原稿は、プルアウトローラ１１から、原稿搬送路を経てレジストローラ１３、搬送ベルト駆動ローラ１６で駆動される搬送ベルト１７に至り、コンタクトガラス１８上に導かれ、スキャナ１９によりスキャンされて原稿面の画像が読み取られる。ここで、プルアウトセンサ１２が原稿を検知すると、ピックアップローラ７は上方Ｃ方向に退避し、また、プルアウトセンサ１２により原稿の先端、後端を検知して長さを測る。サイズ検知センサ１４は原稿の幅を検知し、また、レジストセンサ１５はレジストローラ１３により送り込まれる原稿の長さを検知し、原稿のコンタクトガラス１８上の停止位置を決定する。原稿スケール２０は、コンタクトガラス１８上に設けられ、原稿を原稿スケール２０に押付けてスキャン開始位置を規定するものである。一枚の原稿の読取が完了すると原稿は排紙部（省略、図示せず）から排紙台に排出され、次の原稿を送り込み、順次原稿の読取、画像形成、複写が行われる。
【０００６】
このようにして、原稿束から原稿を取出し、一枚ずつ処理するのであるが、ここで、送給ベルト９と分離ローラ１０による分離送給手段の作用を説明する。ピックアップローラ７が、常に一枚の原稿のみを取出すのであれば、この分離送給機構が働く必要はないが、実際にはピックアップローラ７は２〜３枚の原稿を取出すので、これを一枚ずつ送給するように分離する必要がある。分離ローラ１０は、トルクリミッタを介して送給ベルト９の移動方向とは逆の方向に駆動されており、仮に、送給ベルト９と分離ローラの間に一枚の原稿がニップされているのであれば、分離ローラ１０は、送給ベルト９により送給される原稿との摩擦力により引っ張られて送給ベルト９の移動方向に連れ回りするが、原稿が２枚以上ニップされると分離ローラ１０側の原稿は滑り、分離ローラ１０に係るトルクはなくなり、本来の駆動方向すなわち送給ベルト９の移動方向と逆の方向に回転し、原稿束の底部の原稿を引き戻す。これにより、複数の原稿が送り込まれてもニップ点の前で一枚ずつに分離されるのである。このような分離送給手段は、特許文献１および特許文献２にみられる。
【０００７】
【特許文献１】特開平１１−２１７１２６号公報
【特許文献２】特開平１１−２２２３２６号公報
【発明の開示】
【発明が解決しようとする課題】
【０００８】
ところで、このような分離送給機構においては、原稿同士の摩擦係数が大きい場合、あるいはアクシデントで１０枚程度の原稿が送給ベルトと分離ローラとのニップ点に送り込まれると、送給ベルトと分離ローラの接圧が大きくなって分離ローラに掛かるトルクも大きく、分離ローラが連れ回りして分離不能になるという問題がある。本発明は、かかる問題を解決した自動原稿搬送装置を提供する。
【課題を解決するための手段】
【０００９】
本発明第１の発明は、原稿束を載置した原稿台の上方に位置し、原稿束の最上面の原稿を取出す給紙手段と、取出された原稿を一枚ずつ分離して送給する分離送給手段と、を有する自動原稿搬送装置において、前記給紙手段と前記分離送給手段の間に、前記給紙手段により取出された原稿下面に接触し、底部の原稿の移動を制約する阻止部材を設けたことを特徴とする。
これにより、複数枚取出された原稿の底部の原稿を予めニップ点の手前で阻止できるので原稿の重送を確実に防止できる。
【００１０】
また、阻止部材の上方に所定の間隙をもって案内部材を設けたものは、より確実に重送を防ぐことができる。阻止部材が、原稿搬送方向に立ち上がる傾斜面を有し、原稿幅方向に延在する板状阻止部材であり、案内部材が、前記板状阻止部材の原稿幅方向の両側端外で、原稿搬送面に垂下する二つのリブ状案内部材であるものは、装置がコンパクト、簡易で、安価に、且つ阻止部材近辺での原稿詰まりを無くすことができる。分離送給手段が、支持ローラで保持された送給ベルトとこれに接する分離ローラからなり、送給ベルト支持部に案内部材を取り付けたものは、一層コンパクト、合理的な構成となる。案内部材が、送給ベルトの支持ローラ両端部に形成したフランジであるものは、装置が簡易、コンパクトで製造も容易である。
【００１１】
阻止部材の表面がゴムなどの摩擦係数の大きい材料で構成されたものは、阻止効果が大きくなる。また、板状阻止部材の先端幅が原稿搬送方向に向かって狭くなる形状となしたものは、原稿詰りを防ぐことができる。
【００１２】
本発明第２の発明は、原稿束を載置した原稿台の上方に位置し、原稿束の最上面の原稿を取出す給紙手段と、支持ローラで保持された送給ベルトとこれに接する分離ローラからなり、取出された原稿を一枚ずつ分離して送給する分離送給手段と、を有する自動原稿搬送装置において、前記送給ベルトの原稿搬送上流側の支持ローラの両側端部に、円板状の搬送ガイドを設けたことを特徴とする。これにより、コンパクト、簡易な構造で重畳原稿の移動を阻止する搬送路を形成し、原稿の重送を防止できる。
【発明の効果】
【００１３】
本発明第１の発明は、給紙手段と分離送給手段と、を有する自動原稿搬送装置において、給紙手段と分離送給手段の間に設けられている阻止部材により、複数枚取出された原稿の底部の原稿を予めニップ点の手前で阻止でき、原稿の重送を確実に防止できるという効果がある。
【００１４】
また、阻止部材の上方に所定の間隙をもって案内部材を設けたものはより確実に重送を防ぐことができるという効果がある。
【００１５】
本発明第２の発明は、給紙手段と分離ローラからなる分離送給手段と、を有する自動原稿搬送装置において、送給ベルトの原稿搬送上流側の支持ローラの両側端部に円板状の搬送ガイドを設けたので、コンパクト、簡易な構造で、重畳原稿の移動を阻止するくさび状搬送路を形成でき、原稿の重送を防止できる効果がある。
【発明を実施するための最良の形態】
【００１６】
以下、本発明の好ましい実施形態を示す図面に基づいて、本発明を詳細に説明する。
【００１７】
図１（ａ）、（ｂ）は本発明に係る自動原稿搬送装置の一実施形態の分離送給部を示す図で、図１（ａ）は模式的に示した側面図、図１（ｂ）は、図１（ａ）のＸ−Ｘ矢視図である。図２（ａ）、（ｂ）は、本発明に係る自動原稿搬送装置の他の実施形態の分離送給部を示す図で、図２（ａ）は、模式的に示した側面図、図２（ｂ）は、図２（ａ）の部分上面図である。
【００１８】
先ず、図１（ａ）、（ｂ）に示した実施形態について説明する。この自動原稿搬送装置は、本発明にかかる阻止部材、案内部材を除く構成は、先に説明した図３の自動原稿搬送装置と実質的に同一であり、同一の機能を果たすものは同一の符号で示し説明は省略する。さて、図１（ａ）、（ｂ）において、２１は、原稿の搬送路を形成する案内路であり、２２は、可動原稿テーブル３先端部の装置フレームであり、これらの搬送路、フレームは従来装置に示されたものと同一である（図３参照）。
【００１９】
３１は、給紙手段であるピックアップローラ７と、送給ベルト９と分離ローラ１０からなる分離送給手段の間に設けられた阻止部材であり、搬送路２１の先端部で取出される原稿束Pの先端に近接して設けられる。阻止部材３１は、原稿搬送方向に立ち上がる傾斜面３１ａを有し、原稿幅方向に延在する板状阻止部材であり、その表面はゴム材３１ｂからなる。３２は、板状の阻止部材３１の原稿幅方向の両側端外すなわち板状阻止部材３１の端部から外れた位置で、原稿搬送面に向かって上方から垂下する二つのリブ状案内部材であり、板状阻止部材３１とは所定の間隙、原稿が数枚程度通過するような隙間を持って取り付けられている。このリブ状案内部材３２の先端部は、円滑な曲線状に形成される（図１（ａ）参照）。
【００２０】
なお、この案内部材の取り付け方法について、図３を参照して説明すれば、送給ベルト９を支持する支持ローラ９ａ、９ｂの支持軸あるいはこの支持軸を支持するブラケット９ｃ等に取り付けることができる。具体的構造は、阻止部材の形状、位置に基づき適宜定められるが支持ローラ特に上流側の支持ローラ部に取り付けることが装置をコンパクトにするという観点から好ましい。なお、阻止部材３１は、図２（ｂ）に見られるように、その先端部（原稿搬送方向の下流側）の幅が原稿搬送方向に向かって狭くなる形状となしている。
【００２１】
以上の分離送給機構を有する自動原稿搬送装置においては、図１（ａ）に示すように、ピックアップローラ７（給紙手段）から複数の多くの原稿Pが取出されても、阻止部材３１により分離機構のニップ点に至る前に移動が抑止され、原稿が阻止されるので、前述のようなニップ点でのトラブルがなく、原稿の重送を防ぐことができる。また、案内部材３２により上方から原稿を挟み込むようにしているので、一層原稿の阻止が効果的に行われる。板状の傾斜面を有する阻止部材にあっては、簡易な部材で効果的に原稿束底部の原稿を阻止でき、表面がゴム部材からなるものにあってはその摩擦力により、より確実に原稿を阻止できる。
【００２２】
さらに、先端幅を狭め、その上方にリブ状の案内部材を配置したものは、阻止部材と案内部材の間隙が一定になり、原稿が詰まることがなく、円滑に原稿の阻止を図ることができる（図１（ｂ）参照）。
【００２３】
図１（ａ）、（ｂ）の実施形態においては、案内部材としてリブ状、あるいは、円滑なエッジ状の先端を有する板状の案内部材を説明したが、案内部材はこれに限らず、図２（ａ）、（ｂ）に示した実施形態のごとく、送給ベルト９の支持ローラ９ｂの両側端に設けたフランジからなる案内部材３３であっても良い。このように支持ローラ９ａに案内部材３３（フランジ）を設けることにより、装置が簡易、且つコンパクトになり、従来機種への適用が容易で安価な装置となすことができる。
【００２４】
ここに、本発明においては、多くの原稿（原稿束）を分離送給機構のニップ点に導入しないため、ニップ点の手前で原稿束の移動を抑止し、阻止するものであり、阻止部材単独、あるいは阻止部材と案内部材との協働作用により原稿を阻止するが、図２（ａ）において、傾斜面を有する阻止部材を取除いた場合、案内路２１と案内部材３３（フランジ）との間に側断面くさび状の先細りの搬送路が形成される。この先細りのくさび状搬送路において重畳原稿を阻止できる。
【００２５】
この第２の発明は、上述の第１の発明と同様の作用効果を奏することができ、装置的には一層簡易、コンパクトになり、従来装置への適用もより容易になる。
【００２６】
なお、以上の説明においては、複写機に適用した自動原稿搬送装置を説明したが、本発明の自動原稿搬送装置は、複写機に限らず、ファクシミリ、スキャナ装置などの画像形成装置、プリンタ等に適用できる。また、給紙手段として主としてピックアップローラを説明したが、給紙手段はローラ形式に限らず、他の摩擦取出し手段など任意の給紙手段を採用でき、さらに、原稿の分離送給手段も送給ベルトと分離ローラ（リバースローラ）からなるものに限らず、送給ローラを用いるものなど任意の分離送給手段を採用することができる。
【産業上の利用可能性】
【００２７】
本発明の自動原稿搬送装置は、複写機だけでなく、ファクシミリ、スキャナ装置などの画像形成装置、プリンタ等に利用することができる。
【図面の簡単な説明】
【００２８】
【図１】本発明に係る自動原稿搬送装置の一実施形態の分離送給部を示す図で、図１（ａ）は、模式的に示した側面図、図１（ｂ）は、図１（ａ）のＸ−Ｘ矢視図である。
【図２】本発明に係る自動原稿搬送装置の他の実施形態の分離送給部を示す図で、図２（ａ）は、模式的に示した側面図、図２（ｂ）は、図２（ａ）の部分上面図である。
【図３】自動原稿搬送装置１を複写機に搭載したものの、給紙部とスキャン部を模式的に示す部分側断面図である。
【符号の説明】
【００２９】
７            ピックアップローラ（給紙手段）
９            送給ベルト（分離送給手段）
９ａ、９ｂ    支持ローラ
１０          分離ローラ（分離送給手段）
３１          阻止部材
３１ａ        傾斜面
３１ｂ        ゴム材
３２          案内部材（リブ状案内部材）
３３          案内部材（フランジ）
【図１】
2006188362.tif 000003
【図２】
2006188362.tif 000004
【図３】
2006188362.tif 000005